(57)【要約】【課題】  夜間にも簡単に空の明るい場所でも天体を用いて時刻を計測できる時計を提供することを課題とする。【解決手段】  夜空で最も明るく見つけやすい月を用いてその時角と太陽との時角差から時刻を計測する。【選択図】          図１
2006090927.tif 000002
【特許請求の範囲】
【請求項１】
求めようとする時刻の月の方向から月の時角を計測する手段と、太陽と月の時角の差を設定する手段と、前記差に12時間を加えた値を月の時角に加える手段を設けた時計。
【請求項２】
太陽と月の時角の差を設定する手段が、月の形により時角差を求め設定する手段、または月齢により時角差を求め設定する手段、または直接時角差を設定する手段のいずれか、またはその複数の手段を設けたことを特徴とする請求項１の時計。
【請求項３】
求めようとする時刻の月の時角を計測する手段と、既知である、ある時刻とその時刻の月の時角を基準値として設定する手段と、前記月の時角と基準値とした時角の差を求める手段と、前記差を月の時角の変化速度で除した値を既知の基準とした時刻に加える手段を設けた時計。
【請求項４】
月の時角を計測する手段が、前記計測手段の下部に設置した鏡に反射した月の光を用いた手段であることを特徴とする請求項１から３の時計。
【発明の詳細な説明】
【技術分野】
【０００１】
この発明は、天体の動きから時刻を知る時計に関する。
【背景技術】
【０００２】
従来、太陽の動きにより時刻を知る日時計は、特許文献１，特許文献２のような技術が開示されている。また星の動きにより時刻を知るものも特許文献３のような技術が開示されている。
【特許文献１】特開平０３−１０１９３
【特許文献２】特開平０９−２９７１８８
【特許文献３】特公昭２６−７７８３
【発明の開示】
【発明が解決しようとする課題】
【０００３】
しかし、夜に時刻を知ろうとする場合、日時計は太陽が没している為使用できず、星を用いる場合、星の判別が難しく、また都会などでは空が明るく星が見にくいことがあった。本発明は、夜間にも簡単に空の明るい場所でも天体を用いて時刻を計測できる時計を提供することを課題とする。
【課題を解決するための手段】
【０００４】
以上の課題を解決するために、夜空で最も明るく見つけやすい月を用いて時刻を計測することを考えた。第一発明は、求めようとする時刻の月の方向から月の時角を計測する手段と、太陽と月の時角の差を設定する手段と、前記差に12時間を加えた値を月の時角に加える手段を設けた時計である。
【０００５】
また、第二発明は、太陽と月の時角の差を設定する手段が、月の形により時角差を求め設定する手段、または月齢により時角差を求め設定する手段、または直接時角差を設定する手段のいずれか、またはその複数の手段を設けたことを特徴とする請求項１の時計である。
【０００６】
また、第三発明は、求めようとする時刻の月の時角を計測する手段と、既知である、ある時刻とその時刻の月の時角を基準値として設定する手段と、前記月の時角と基準値とした時角の差を求める手段と、前記差を月の時角の変化速度で除した値を既知の基準とした時刻に加える手段を設けた時計である。
また、第四発明は、月の時角を計測する手段が、前記計測手段の下部に設置した鏡に反射した月の光を用いた手段であることを特徴とする請求項１から３の時計である。
【発明の効果】
【０００７】
第一発明、第二発明、第三発明または第四発明によれば、月を用いて時刻を計測できる為、比較的空が明るくても、簡単に時刻を知ることができる。また第四発明によれば月の光を反射させて使用するので、計測時に下向きで月の光を見ることができるので計測し易い。
【発明を実施するための最良の形態】
【０００８】
この発明の第一の実施形態を、図１、図２に示す。
回転体１はステンレス線でできた長方形で、その短辺のそれぞれの中心に軸１３，１４が取り付けられており、それらの軸を中心に回転できるように配置されている。対物目標線３はこの回転体の上部の長辺である。対眼目標線４はこの回転体の下部の長辺である。  時刻指針２が対物目標線上に取り付けられ、目盛板８の時刻・時角差目盛１０を指すよう配置されている。回転体１と目盛板８はフレーム７に上部軸受６と下部軸受５によってその中心線が天の北極を向くように取り付けられ、その中心線の回りを自在にそれぞれ独立して回転できるように取り付けられている。目盛板８はその外周に１周で24時間の時刻・時角差目盛１０が時計回りに均等に配置され、その内周には1周で29.5日の月齢目盛１１が時計回りに均等に配置され、ゼロの位置は一致している。さらにその内周に月の形１２が月齢に対応した位置に配置されている。時刻指針２は回転体の回転に合わせて、時刻・時角差目盛１０の上を回転し、時刻を示す。目盛板８は自在に回転させることで月の形、月齢、時角差のいずれかを月の形・月齢・時角差指針９に合わせることができる。
図３は天の北極側から太陽と地球と月の位置と、月の形、月齢を表したものである。太陽と地球と月のなす角をＸ°とすると、月が地球を一周して元の位置に戻るまでおよそ29.5日かかるので下記１式で表せる。
Ｘ＝３６０・月齢／29.5    ――１
月の時角に12時間を加えたものを月時刻Ｍとすると、時刻（視太陽時）Ｔは下記の２式で表せる。
Ｔ＝Ｍ＋Ｘ／１５          ――２
１，２式から
Ｔ＝Ｍ＋0.814・月齢        ――３
図２の目盛板は３式より月齢を１増やせば時刻が0.814時間増加する関係にある。
【０００９】
第一の実施形態を用いて時刻を計測する三つの方法についてその手順を以下に述べる。
方法１
手順１：月の形を観測して、その形に合った目盛板の月の形または図６の月齢と月の形対応図から求めた月齢を、目盛板８を回転させ指針９に合わせる。
手順２：月−対物目標線−対眼目標線が一致するように、対眼目標線側から月を観測しながら回転体１を回転させる。
手順３：時刻指針２の示す目盛１０を読む。この値が時刻を表す。
方法２
手順１：理科年表、新聞等に記載されている、その日の正午の月齢に目盛板８を回転させ、指針９と合わせる。
手順２：月−対物目標線−対眼目標線が一致するように、対眼目標線側から月を観測しながら回転体１を回転させる。
手順３：時刻指針２の示す目盛１０を読む。この値を仮時刻Ｋとする。
手順４：仮時刻Ｋから１２時間を減じ、正午からのおよその経過時間Ｓを求める。
手順５：Ｓに１／２４を乗じて月齢増加分ｄｍを求める。
手順６：正午の月齢にｄｍを加えた値の月齢を指針９に合わせる。
手順７：時刻指針２の示す目盛１０を読む。この値が時刻を表す。
方法３
手順１：理科年表等に記載されている、その日の月の南中時刻から１２時間を減じ、太陽と月の南中時刻における時角差を求め、指針９の示す目盛１０の値がこの時角差になるよう目盛板８を回転させ合わせる。
手順２：月−対物目標線−対眼目標線が一致するように、対眼目標線側から月を観測しながら回転体１を回転させる。
手順３：時刻指針２の示す目盛１０を読む。この値を仮時刻Ｋとする。
手順４：仮時刻Ｋから南中時刻を減じ、南中時刻からのおよその時間差Ｓを求める。
手順５：Ｓに１／２９．５を乗じて時角差増加分ｄｔを求める。（1時間当り約２分）
手順６：南中時刻における時角差にｄｔを加えた値求め、指針９の示す目盛１０の値がこの時角差になるよう目盛板８を回転させ合わせる。
手順７：時刻指針２の示す目盛１０を読む。この値が時刻を表す。
【００１０】
この発明の第二の実施形態を図４に示す。
回転体１０１はステンレス線でできており、ホームベース形の５角形で、頂点と、その反対側の辺の中心に軸１１４，１１５がとりつけられており、それらの軸を中心に回転できるように配置されている。この回転体の１０２で示す辺の部分が時刻指示線、１０３で示す辺の部分が対眼目標線、１０４で示す辺の部分が対物目標線である。目標線に斜めの部分を設けることで月の高度が低い時にも計測できるようにしてある。
鏡１１０は反射した月の光を対物目標線１０４、対眼目標線１０３と一致するように回転体を回転させられるよう配置されている。上部軸受１０６と下部軸受１０５は、回転体の中心線の１１０による像が、天の北極の方向に向くようフレーム１０７により取り付けられている。図５は１１０に反射した月と回転体の関係を模式的に示したものである。
目盛部材１０８は透明な樹脂でできた円筒形のもので、片側に目盛部材軸受１１６が取り付けられ、回転体の軸を中心に回転体と独立して回転できるように配置されている。
目盛部材１０８の側面には、時刻目盛１１１と月齢目盛１１２と太陽時刻目盛１１３が配置されている。太陽時刻目盛１１３は円筒の側面に下部軸受１０５側から見て反時計回りに一周２４時間で均等に配置されている。時刻目盛１１１は太陽時刻目盛とゼロの位置が一致しており目盛の間隔が太陽時刻目盛の間隔の２８．５／２９．５の角度になっている。月齢目盛１１２は太陽時刻目盛１１３のゼロと１４．７５の位置が一致させてあり、目盛の間隔は一周を２９．５とした時の２８．５／２９．５の角度になっている。これは月の時角の変化速度が太陽のおよそ２８．５／２９．５である為である。
第二の実施形態を用いて時刻を計測する二つの方法についてその手順を以下に述べる。
方法１
手順１：南中時刻・月齢指針１０９が示す時刻目盛１１１の値が、理科年表等に記載されているその日の月の南中時刻になるように、目盛部材１０８を回転させる。
手順２：鏡１１０による月の像−対物目標線−対眼目標線が一致するように、対眼目標線側から月を観測しながら回転体１０１を回転させる。
手順３：時刻指針１０２の示す目盛１１１を読む。この値が時刻を表す。
方法２
手順１：南中時刻・月齢指針１０９が示す月齢目盛１１２の値が、理科年表、月の形の観測等により求めた、その日の月が南中する時刻の月齢に、目盛部材１０８を回転させる。
手順２：鏡１１０による月の像−対物目標線−対眼目標線が一致するように、対眼目標線側から月を観測しながら回転体１０１を回転させる。
手順３：時刻指針１０２の示す目盛１１１を読む。この値が時刻を表す。
【実施形態の効果】
【００１１】
この実施形態１，２によれば、月を用いることで、夜間でも簡単に時刻を知ることができ、また太陽と地球と月の動きを学習するのにも役立つ。実施形態１において月齢をゼロに固定し太陽で計測すれば日時計として時刻を計測できる。実施形態２においても月齢をゼロに固定し、太陽時刻目盛の値を読めば、日時計として計測できる。
【他の実施形態】
【００１２】
本実施例１，２では、均時差、経度による時刻の差、また緯度の異なる場所で計測する場合の補正手段を付加していないが、これらを目盛板、指針またはフレームを可変させることで対応することもできる。
【図面の簡単な説明】
【００１３】
【図１】この発明の第1の実施形態を示す側面図である。
【図２】この発明の第１の実施形態に使用する目盛板８の正面図である。
【図３】この発明の原理を示す、太陽と地球と月を天の北極側から見た模式図である。
【図４】この発明の第2の実施形態を示す斜視図である。
【図５】この発明の第2の実施形態を説明する模式図。
【図６】月齢と月の形対応図
【符号の説明】
【００１４】
１  回転体
２  時刻指針
３  対物目標線
４  対眼目標線
５  下部軸受
６  上部軸受
７  フレーム
８  目盛板
９  月の形・月齢・時角差指針
１０  時刻・時角差目盛
１１  月齢目盛
１２  月の形
１０１  回転体
１０２  時刻指示線
１０３  対眼目標線
１０４  対物目標線
１０５  下部軸受
１０６  上部軸受
１０７  フレーム
１０８  目盛部材
１０９  南中時刻・月齢指針
１１０  鏡
１１１  時刻目盛
１１２  月齢目盛
１１３  太陽時刻目盛
１１４  目盛部材軸受
【図１】
2006090927.tif 000003
【図２】
2006090927.tif 000004
【図３】
2006090927.tif 000005
【図４】
2006090927.tif 000006
【図５】
2006090927.tif 000007
【図６】
2006090927.tif 000008